(57)【要約】【課題】桟枠同士が一体的に連結された成型品のような繊細な印象を与えることができ、かつ互いの桟枠のうちの一方の桟枠のコストを抑えて低廉化を図ることができる、他の用途への組み換えが可能なベビーベッド構造体を提供する。【解決手段】両後桟枠２Ｌ，２Ｒ、後桟枠３、上部前桟枠４、扉付下部前桟枠５によって囲撓枠体６を形成し、囲撓枠体６の内側中間部にベッド用底板７を設けると共に内側底部に２枚の収納用底板８，８を設けてベビーベッド１０を形成し、ベビーベッド１０を分解、再組み立てしてミドルサークル、ベンチ又はラックを形成可能とする。各桟枠２Ｌ，２Ｒ，３〜５の上下両端に幅方向支柱１１，１２を設け、両側桟枠２Ｌ，２Ｒの幅方向支柱１１，１２の両端に縦方向支柱１３，１４を連結する。両後桟枠２Ｌ，２Ｒ及び扉付下部前桟枠５の幅方向支柱１１，１２の両端を、両側桟枠２Ｌ，２Ｒの縦方向支柱１３，１４に対し連結具２０を介して連結する。【選択図】図１
2016101496.tif 000002
【特許請求の範囲】
【請求項１】
左右一対の側桟枠と、この両側桟枠の幅方向一端に対し幅方向両端が直角にそれぞれ着脱自在に設けられた後桟枠と、前記両側桟枠の幅方向他端の上部に幅方向両端が着脱自在に横設された上部前桟枠と、前記両側桟枠の幅方向他端の下部に幅方向両端が着脱自在に横設された扉付下部前桟枠とによって囲撓される囲撓枠体が形成され、この囲撓枠体の内側中間部にベッド用底板を着脱自在に設けると共に、前記囲撓枠体の内側底部に２枚の収納用底板を着脱自在に前後に並設してベビーベッドを形成可能とし、一方、前記ベビーベッドから前記ベッド用底板、前記両収納用底板、前記上部前桟枠及び前記扉付下部前桟枠をそれぞれ除去し、前記両側桟枠と、この両側桟枠にそれぞれ幅方向一端同士が着脱自在に連設される左右一対の補助桟枠と、前記両側桟枠及び前記両補助桟枠のいずれか一方の幅方向他端に対し幅方向両端が直角にそれぞれ着脱自在に設けられる前記後桟枠と、前記両側桟枠及び前記両補助桟枠のいずれか他方の幅方向他端の上部に幅方向両端が着脱自在に横設される前記上部前桟枠と、前記両側桟枠及び前記両補助桟枠のいずれか他方の幅方向他端の下部に幅方向両端が着脱自在に横設される前記扉付下部前桟枠とによって囲繞されるミドルサークルを形成可能とし、更に、前記ベビーベッドを分解して、前記両補助桟枠と、この両補助桟枠の幅方向一端に対し幅方向両端が直角にそれぞれ着脱自在に設けられた前記後桟枠と、前記両補助桟枠及び前記後桟枠によって形成される平面視で略コ字状の枠体の内側中間部に着脱自在に設けられた前記両収納用底板のうちの一方と、前記両補助桟枠の幅方向他端の下部に横設される前記扉付下部前桟枠とによってベンチを形成可能とし、また、このベンチの枠体の内側上部に前記両収納用底板のうちの他方を着脱自在に設けてラックを形成可能とするベビーベッド構造体であって、
前記各桟枠の上下両端には、当該各桟枠の幅方向へ延びる幅方向支柱が設けられ、そのうちの前記両側桟枠、前記上部前桟枠及び前記両補助桟枠の幅方向支柱の両端には、上下方向へ延びる縦方向支柱が連結されていて、
前記各桟枠のうちの前記後桟枠及び前記扉付下部前桟枠の幅方向支柱の両端は、前記ベビーベッド、前記ミドルサークル、前記ベンチ又は前記ラックを形成する際に、前記両側桟枠及び前記両補助桟枠のうちのいずれか一方の縦方向支柱に対し連結具を介して連結されていることを特徴とするベビーベッド構造体。
【請求項２】
前記連結具は、前記両側桟枠及び前記両補助桟枠の左右の縦方向支柱を表裏方向に貫通する貫通孔から前記後桟枠及び前記扉付下部前桟枠の上下の幅方向支柱の両端に穿設された穿設穴に挿通されるボルト部材と、前記穿設穴に対し直交するように前記後桟枠及び前記扉付下部前桟枠の表裏方向一側から凹設された収容穴に挿通され、前記ボルト部材の雄ねじを螺着するねじ穴を軸部材の側部に備えたナット部材とを備えている請求項１に記載のベビーベッド構造体。
【請求項３】
前記上部前桟枠は、前記両側桟枠の前端上部に下方へスライド移動可能に支持されているとともに、前記扉付下部前桟枠は、前記上部前桟枠の裏面側に位置する前記両側桟枠の前端下部に取り付けられている請求項１又は請求項２に記載のベビーベッド構造体。
【請求項４】
前記補助桟枠は、それぞれ幅方向に複数並設され、互いに隣接する左右の縦方向支柱同士が締結具を介して連結されている請求項１又は請求項２に記載のベビーベッド構造体。
【請求項５】
前記補助桟枠を幅方向に２枚並設した長さは、前記側桟枠の幅方向の長さと一致している請求項４に記載のベビーベッド構造体。
【発明の詳細な説明】
【技術分野】
【０００１】
本発明は、ベビーベッドからミドルサークル等のような他の用途へ組み換え可能なベビーベッド構造体に関する。
【背景技術】
【０００２】
一般に、ベビーベッドは、乳児を寝かせておくのに使用され、乳児期を過ぎて不要になると、各家庭では分解して押入れ等に保管しているのが現状である。
【０００３】
しかし、ベビーベッドは分解しても嵩張るため、押入れや物置等に保管するにも、その収納に苦慮しているのが現状であった。
【０００４】
そこで、従来より、左右一対の側桟枠と、この両側桟枠の幅方向一端に対し幅方向両端が直角にそれぞれ着脱自在に設けられた後桟枠と、両側桟枠の幅方向他端の上部に幅方向両端が着脱自在に横設された上部前桟枠と、両側桟枠の幅方向他端の下部に幅方向両端が着脱自在に横設された扉付下部前桟枠とによって囲撓される囲撓枠体が形成され、この囲撓枠体の内側中間部にベッド用底板を着脱自在に設けると共に、囲撓枠体の内側底部に２枚の収納用底板を着脱自在に前後に並設してベビーベッドを形成可能とし、一方、ベビーベッドからベッド用底板、両収納用底板、上部前桟枠及び扉付下部前桟枠をそれぞれ除去し、両側桟枠と、この両側桟枠にそれぞれ幅方向一端同士が着脱自在に連設される左右一対の補助桟枠と、両側桟枠及び両補助桟枠のいずれか一方の幅方向他端に対し幅方向両端が直角にそれぞれ着脱自在に設けられる後桟枠と、両側桟枠及び両補助桟枠のいずれか他方の幅方向他端の上部に幅方向両端が着脱自在に横設される上部前桟枠と、両側桟枠及び両補助桟枠のいずれか他方の幅方向他端の下部に幅方向両端が着脱自在に横設される扉付下部前桟枠とによって囲繞されるミドルサークルを形成可能とし、更に、ベビーベッドを分解して、両補助桟枠と、この両補助桟枠の幅方向一端に対し幅方向両端が直角にそれぞれ着脱自在に設けられた後桟枠と、両補助桟枠及び後桟枠によって形成される平面視で略コ字状の枠体の内側中間部に着脱自在に設けられた両収納用底板のうちの一方と、両補助桟枠の幅方向他端の下部に横設される扉付下部前桟枠とによってベンチを形成可能とし、また、このベンチの枠体の内側上部に両収納用底板のうちの他方を着脱自在に設けてラックを形成可能とするように構成したベビーベッド構造体が知られている（特許文献１参照）。
【先行技術文献】
【特許文献】
【０００５】
【特許文献１】特許第３５８７４７５号公報
【発明の概要】
【発明が解決しようとする課題】
【０００６】
ところで、このようなベビーベッド構造体は、ベビーベッドの他に、ミドルサークル、ベンチ又はラックといった他の用途への組み換えが可能であるため、それぞれの桟枠の上下両端には当該各桟枠の幅方向へ延びる幅方向支柱が設けられているとともに、この幅方向支柱の両端には上下方向へ延びる縦方向支柱が連結されている。
【０００７】
その場合、ベビーベッド、ミドルサークル、ベンチ又はラックに応じて各桟枠を組み換える際に、幅方向で互いに相隣なる桟枠は縦方向支柱同士によって必ず連結されている。このため、ベビーベッド、ミドルサークル、ベンチ又はラックのいずれを形成してみたところで、幅方向で互いに相隣なる桟枠同士の角部での連結部位には縦方向支柱が必ず２本並ぶために組み立て品であるが故の無骨な印象が拭えず、幅方向で互いに相隣なる桟枠同士が一体的に連結された成型品のような繊細な印象にはほど遠いものであった。
【０００８】
その上、幅方向で互いに相隣なる桟枠同士の角部での連結部位に縦方向支柱が必ず２本並んでいると、桟枠のコストも高く付き、ベビーベッド構造体の低廉化を図ることができない。
【０００９】
本発明はかかる点に鑑みてなされたものであり、その目的とするところは、ベビーベッドの相隣なる桟枠同士が一体的に連結された成型品のような繊細な印象を与えることができるとともに、幅方向で互いに相隣なる桟枠のうちの一方の桟枠のコストを抑えて低廉化を図ることができる、他の用途への組み換えが可能なベビーベッド構造体を提供することにある。
【課題を解決するための手段】
【００１０】
上記目的を達成するため、本発明では、左右一対の側桟枠と、この両側桟枠の幅方向一端に対し幅方向両端が直角にそれぞれ着脱自在に設けられた後桟枠と、前記両側桟枠の幅方向他端の上部に幅方向両端が着脱自在に横設された上部前桟枠と、前記両側桟枠の幅方向他端の下部に幅方向両端が着脱自在に横設された扉付下部前桟枠とによって囲撓される囲撓枠体が形成され、この囲撓枠体の内側中間部にベッド用底板を着脱自在に設けると共に、前記囲撓枠体の内側底部に２枚の収納用底板を着脱自在に前後に並設してベビーベッドを形成可能とし、一方、前記ベビーベッドから前記ベッド用底板、前記両収納用底板、前記上部前桟枠及び前記扉付下部前桟枠をそれぞれ除去し、前記両側桟枠と、この両側桟枠にそれぞれ幅方向一端同士が着脱自在に連設される左右一対の補助桟枠と、前記両側桟枠及び前記両補助桟枠のいずれか一方の幅方向他端に対し幅方向両端が直角にそれぞれ着脱自在に設けられる前記後桟枠と、前記両側桟枠及び前記両補助桟枠のいずれか他方の幅方向他端の上部に幅方向両端が着脱自在に横設される前記上部前桟枠と、前記両側桟枠及び前記両補助桟枠のいずれか他方の幅方向他端の下部に幅方向両端が着脱自在に横設される前記扉付下部前桟枠とによって囲繞されるミドルサークルを形成可能とし、更に、前記ベビーベッドを分解して、前記両補助桟枠と、この両補助桟枠の幅方向一端に対し幅方向両端が直角にそれぞれ着脱自在に設けられた前記後桟枠と、前記両補助桟枠及び前記後桟枠によって形成される平面視で略コ字状の枠体の内側中間部に着脱自在に設けられた前記両収納用底板のうちの一方と、前記両補助桟枠の幅方向他端の下部に横設される前記扉付下部前桟枠とによってベンチを形成可能とし、また、このベンチの枠体の内側上部に前記両収納用底板のうちの他方を着脱自在に設けてラックを形成可能とするベビーベッド構造体を前提とする。そして、前記各桟枠の上下両端に、当該各桟枠の幅方向へ延びる幅方向支柱を設け、そのうちの前記両側桟枠、前記上部前桟枠及び前記両補助桟枠の幅方向支柱の両端に、上下方向へ延びる縦方向支柱を連結していて、前記各桟枠のうちの前記後桟枠及び前記扉付下部前桟枠の幅方向支柱の両端を、前記ベビーベッド、前記ミドルサークル、前記ベンチ又は前記ラックを形成する際に、前記両側桟枠及び前記両補助桟枠のうちのいずれかの縦方向支柱に対し連結具を介して連結することを特徴としている。
【００１１】
また、前記連結具に、前記両側桟枠及び前記両補助桟枠の左右の縦方向支柱を表裏方向に貫通する貫通孔から前記後桟枠及び前記扉付下部前桟枠の上下の幅方向支柱の両端に穿設された穿設穴に挿通されるボルト部材と、前記穿設穴に対し直交するように前記後桟枠及び前記扉付下部前桟枠の表裏方向一側から凹設された収容穴に挿通され、前記ボルト部材の雄ねじを螺着するねじ穴を軸部材の側部に備えたナット部材とを備えていてもよい。
【００１２】
また、前記上部前桟枠を、前記両側桟枠の前端上部に下方へスライド移動可能に支持するとともに、前記扉付下部前桟枠を、前記上部前桟枠の裏面側に位置する前記両側桟枠の前端下部に取り付けていてもよい。
【００１３】
また、前記補助桟枠を、それぞれ幅方向に複数並設し、互いに隣接する左右の縦方向支柱同士を締結具を介して連結していてもよい。
【００１４】
更に、前記補助桟枠を幅方向に２枚並設した長さを、前記側桟枠の幅方向の長さと一致させることがこのましい。
【発明の効果】
【００１５】
以上、要するに、通常はベビーベッドとしてベッド用底板に敷ふとん等を敷いて乳児を寝かせる。また、乳児が大きくなりこのベビーベッドが不要になったときには、このベビーベッドを分解すると共に、各桟枠などを組み換えてミドルサークルを形成し、このミドルサークル内で幼児を遊ばせることが可能である。更に、このベビーベッドは各桟枠などを組み換えることによってベンチやラックとして使用することも可能であり、不要になったベビーベッドがミドルサークルやベンチ又はラックとして再利用される。
その場合、各桟枠の上下両端の幅方向支柱のうちの両側桟枠、上部前桟枠及び両補助桟枠の幅方向支柱の両端に縦方向支柱を連結し、各桟枠のうちの後桟枠及び扉付下部前桟枠の幅方向支柱の両端を、ベビーベッド、ミドルサークル、ベンチ又はラックを形成する際に、両側桟枠及び両補助桟枠のうちのいずれかの縦方向支柱に対し連結具を介して連結することで、相隣なる桟枠同士の角部での連結部位に縦方向支柱が必ず２本並ぶことが無くなって組み立て品であるが故の無骨な印象が拭われ、桟枠同士を一体的に連結した成型品のような繊細な印象を与えることができる。しかも、幅方向で互いに相隣なる桟枠同士の角部での連結部位に縦方向支柱が必ず２本並ぶことが無くなって、互いの桟枠のうちの一方の桟枠のコストを抑え、ベビーベッド構造体の低廉化を図ることができる。更に、後桟枠及び扉付下部前桟枠をその上下の幅方向支柱によって両側桟枠及び両補助桟枠のうちのいずれかの縦方向支柱に対し連結具を介して捩れ難く連結でき、ベビーベッド、ミドルサークル、ベンチ及びラックをがたつき無く強固に組み立てることができる。
【００１６】
また、両側桟枠及び両補助桟枠の左右の縦方向支柱を貫通する貫通孔から後桟枠及び扉付下部前桟枠の上下の幅方向支柱の両端に穿設した穿設穴に挿通されたボルト部材の雄ねじを、その穿設穴に対し直交するように後桟枠及び扉付下部前桟枠の表裏方向一側から凹設された収容穴に挿通したナット部材の側部のねじ穴に螺着することで、後桟枠及び扉付下部前桟枠の幅方向支柱の両端を両側桟枠及び両補助桟枠のうちのいずれかの縦方向支柱に対し見栄えよく連結することができる。
【００１７】
また、上部前桟枠を両側桟枠の前端上部に下方へスライド移動可能に支持し、扉付下部前桟枠を、上部前桟枠の裏面側に位置する両側桟枠の前端下部に取り付けることで、上部前桟枠を両側桟枠の前端上部において下方へスライド移動させてスムーズに開閉させることができる。
【００１８】
また、幅方向に複数並設した各補助桟枠の互いに隣接する左右の縦方向支柱同士を締結具を介して連結することで、補助桟枠を幅方向に複数並設してベビーベッド構造体の一部を構成することもでき、ベビーベッド構造体の汎用性をさらに図ることができる。
【００１９】
更に、補助桟枠を幅方向に２枚並設した長さを側桟枠の幅方向の長さと一致させることで、２枚の補助桟枠を側桟枠の代わりとして用いることもでき、ベビーベッド構造体の汎用性をより一層図ることができる。
【図面の簡単な説明】
【００２０】
【図１】本発明の実施の形態に係るベビーベッドの斜視図である。
【図２】図１のベビーベッドを分解した状態での斜視図である。
【図３】図２のベビーベッドの後桟枠及び左右の側桟枠の連結具による連結状態を説明する説明図である。
【図４】図３の連結具の構成を説明する説明図である。
【図５】図３のベビーベッドの左右の側桟枠に対し上部前桟枠及び扉付下部前桟枠を連結具により連結する状態を説明する説明図である。
【図６】図５のベビーベッドの左右の側桟枠の下端に対し一方の収納用底板を固定具により固定する状態を説明する説明図である。
【図７】図６のベビーベッドの後桟枠及び扉付下部前桟枠に対しベッド用底板の受け部材を取り付ける状態を説明する説明図である。
【図８】図７の受け部材の構成を説明する説明図である。
【図９】図７の扉付下部前桟枠の扉を開放した状態でのベビーベッドの斜視図である。
【図１０】図１のベビーベッドを分解して形成されるミドルサークルの斜視図である。
【図１１】図１０のミドルサークルの後桟枠に対し左右の側桟枠を連結具により連結する状態を説明する説明図である。
【図１２】図１０のミドルサークルを分解して形成されるベンチの斜視図である。
【図１３】図１０のミドルサークルを分解して形成されるラックの斜視図である。
【図１４】図１２のベンチ又は図１３のラックの左右の付属枠に対し扉付下部前桟枠を連結具により連結する状態を説明する説明図である。
【図１５】図１の左右の側桟枠に代えて左右の補助桟枠を２枚ずつ用いて形成されるベビーベッドの斜視図である。
【図１６】図１５のベビーベッドを分解して形成されるミドルサークルの斜視図である。
【図１７】図１５のミドルサークルの後桟枠及び左右の各補助桟枠を連結具及び締結具により連結する状態を説明する説明図である。
【発明を実施するための形態】
【００２１】
以下、本発明に係る実施の形態を図面に基づいて説明する。
【００２２】
図１は本発明の実施の形態に係るベビーベッドの斜視図、図２はベビーベッドを分解した状態での斜視図をそれぞれ示している。図１及び図２において、ベビーベッド構造体１は、左右一対の側桟枠２Ｌ，２Ｒと、この両側桟枠２Ｌ，２Ｒの後端（幅方向一端）に対し左右両端（幅方向両端）が直角にそれぞれ着脱自在に設けられた後桟枠３と、両側桟枠２Ｌ，２Ｒの前端（幅方向他端）の上部に左右両端（幅方向両端）が着脱自在に横設された上部前桟枠４と、両側桟枠２Ｌ，２Ｒの前端（幅方向他端）の下部に左右両端（幅方向両端）が着脱自在に横設された扉付下部前桟枠５とによって囲撓される囲撓枠体６が形成されている。この囲撓枠体６の内側中間部にベッド用底板７が着脱自在に設けられていると共に、囲撓枠体６の内側底部に２枚の収納用底板８，８が着脱自在に前後に並設されてベビーベッド１０が形成されている。なお、図１中１９はベッド用底板７に敷かれた敷ふとんである。
【００２３】
左右の側桟枠２Ｌ，２Ｒ、後桟枠３、上部前桟枠４、及び扉付下部前桟枠５の上下両端には、当該各桟枠２Ｌ，２Ｒ，３，４，５の幅方向（囲撓枠体６の周方向）へ延びる上下の幅方向支柱１１，１２が設けられている。また、左右の側桟枠２Ｌ，２Ｒ及び上部前桟枠４の両幅方向支柱１１，１２の左右両端には、上下方向へ延びる左右の縦方向支柱１３，１４が連結されている。更に、右側の側桟枠２Ｒ、後桟枠３、上部前桟枠４、及び扉付下部前桟枠５には、上下の幅方向支柱１１，１２同士の間を幅方向所定間隔置き（例えば５〜７ｃｍ置き）に上下方向に連結する柵棒体１５，１５，…が設けられている。また、左側の側桟枠２Ｌは、区画柱１６によって上下に区画され、上側の幅方向支柱１１と区画柱１６との間を幅方向所定間隔置き（例えば５〜７ｃｍ置き）に上下方向に連結する柵棒体１５，１５，…が設けられている一方、下側の幅方向支柱１２と区画柱１６との間を上下方向に連結するパネル材１７が設けられている。なお、図１中Ｃは、左右の両側桟枠２Ｌ，２Ｒの縦方向支柱１３，１４の下端に取り付けられるキャスターである。
【００２４】
図３はベビーベッド１０の左右の側桟枠２Ｌ，２Ｒ及び後桟枠３の連結具による連結状態を説明する説明図、図４は連結具の構成を説明する説明図、図５はベビーベッド１０の左右の側桟枠２Ｌ，２Ｒに対し上部前桟枠４及び扉付下部前桟枠５を連結具により連結する状態を説明する説明図をそれぞれ示している。
【００２５】
図３〜図５において、後桟枠３及び扉付下部前桟枠５の上下の幅方向支柱１１，１２の両端は、ベビーベッド１０を形成する際に左右の両側桟枠２Ｌ，２Ｒの前後の縦方向支柱１３，１４に対し連結具２０を介して連結されている。連結具２０は、ボルト部材２１とナット部材２２とを備えている。ボルト部材２１は、左右の両側桟枠２Ｌ，２Ｒの前後の縦方向支柱１３，１４を表裏方向に貫通する貫通孔２３と、この貫通孔２３に対応する位置で後桟枠３及び扉付下部前桟枠５の上下の幅方向支柱１１，１２の両端に穿設された穿設穴２４とに挿通される。また、ナット部材２２は、穿設穴２４に対し直交するように後桟枠３及び扉付下部前桟枠５の表裏方向一側（図では裏面側）から凹設された収容穴２５に挿通され、ボルト部材２１の雄ねじ２１１を螺着するねじ穴２６を軸部材の側部に備えている。このナット部材２２は、収容穴２５の径よりやや小さい径の金属軸部材からなり、この軸部材の頭部には＋状の溝２２１が形成されている。なお、図３〜図５において連結具２０のボルト部材２１及びナット部材２２は、便宜上、実物よりも大きく誇張して表している。
【００２６】
そして、左右の両側桟枠２Ｌ，２Ｒの前後の縦方向支柱１３，１４の貫通孔２３と、後桟枠３及び扉付下部前桟枠５の各幅方向支柱１１，１２の両端に連通する穿設穴２４とを対応させた状態で、ナット部材２２を後桟枠３及び扉付下部前桟枠５の収容穴２５に挿通し、貫通孔２３から穿設穴２４にボルト部材２１を挿通させてナット部材２２のねじ穴２６に雄ねじ２１１を螺着することで、後桟枠３及び扉付下部前桟枠５の各幅方向支柱１１，１２の両端を両側桟枠２Ｌ，２Ｒの前後の縦方向支柱１３，１４に対し連結具２０を介して連結している。このとき、ナット部材２２の頭部をその溝２２１に装填したドライバーなどにより回転させることで、穿設穴２４にねじ穴２６を合致させて当該ねじ穴２６に対する雄ねじ２１１の螺着を可能にしている。
【００２７】
また、左右の両側桟枠２Ｌ，２Ｒの前側の縦方向支柱１３の裏面側には、上下方向に延びるスライド溝２７が凹設されている。このスライド溝２７は、上部前桟枠４を下方へスライド可能に支持するものであって、上部前桟枠４の各縦方向支柱１３，１４の上下両端より左右方向に突設されたスライダ２８，２８を摺動自在に支持している。また、上部前桟枠４の各縦方向支柱１３，１４の上端部には、図示しないスプリングの付勢力によって先端をスライド溝２７側に突出させるロック具２９，２９が設けられている。スライド溝２７は、その上部２箇所にスライド溝２７の底面よりも深くまで凹設された挿通穴２７１，２７１を有している。そして、上部前桟枠４は、各ロック具２９をスプリングの付勢力に抗して引っ張ってスライド溝２７の挿通穴２７１，２７１から先端を引き抜くことによって自重による下方へのスライド移動が可能となる一方、各ロック具２９の先端がスプリングの付勢力によってスライド溝２７の挿通穴２７１，２７１に挿通されることによって下方へのスライド移動が規制されるようにしている。
【００２８】
図６はベビーベッド１０の左右の両側桟枠２Ｌ，２Ｒの下端に対し一方の収納用底板８を固定具により固定する状態を説明する説明図を示している。この図６において、左右の両側桟枠２Ｌ，２Ｒの下端には、収納用底板８，８が固定具３３，３３，…により固定されている。各収納用底板８は、囲撓枠体６の内側を前後で２等分した長さに設定され、矩形枠状に組まれた枠部３４の上面にパネル材３５が取り付けられている。各収納用底板８の枠部３４の左右両側には左右一対のボルト挿通孔３６，３６が設けられ、この各ボルト挿通孔３６と対応する左右の側桟枠２Ｌ，２Ｒの下側の幅方向支柱１２には、当該幅方向支柱１２を表裏方向に貫通する貫通孔３７，３７が設けられている。そして、各固定具３３は、幅方向支柱１２の各貫通孔３７から各収納用底板８の枠部３４の各ボルト挿通孔３６に挿通されたボルト部材３８と、このボルト部材３８に螺合するナット部材３９とを備え、各収納用底板８をベビーベッド１０の左右の側桟枠２Ｌ，２Ｒの下側の幅方向支柱１２に固定している。なお、図６において固定具３３のボルト部材３８及びナット部材３９は、便宜上、実物よりも大きく誇張して表している。
【００２９】
図７はベビーベッド１０の後桟枠３及び扉付下部前桟枠５に対しベッド用底板７の受け部材を取り付ける状態を説明する説明図、図８は受け部材の構成を説明する説明図をそれぞれ示している。この図７及び図８において、ベッド用底板７は、後桟枠３の３箇所及び扉付下部前桟枠５の２箇所にそれぞれ取り付けられた受け部材４０，４０，…によって支持されている。後桟枠３の３箇所及び扉付下部前桟枠５の２箇所には、それぞれ表裏方向に貫通する貫通孔４１，４１，…（図７では３箇所のみ示す）が設けられている。また、各受け部材４０は、各貫通孔４１に後桟枠３及び扉付下部前桟枠５の表側から挿通されるボルト部材４２と、各貫通孔４１に後桟枠３及び扉付下部前桟枠５の裏側から突出するボルト部材４２の先端に螺着される長尺ナット部材４３（図８に表れる）とを備えている。そして、ベッド用底板７は、後桟枠３及び扉付下部前桟枠５の裏側においてそれぞれボルト部材４２の先端に螺着された長尺ナット部材４３上に載置されて取り付けられている。また、後桟枠３の３箇所及び扉付下部前桟枠５の２箇所の各貫通孔４１は、ベビーベッド１０を設置する設置面から６０ｃｍの高さにベッド用底板７が位置付けられるように設けられている。この場合、左右の側桟枠２Ｌ，２Ｒ、後桟枠３及び上部前桟枠４の上側の幅方向支柱１１の上端面は、ベッド用底板７からの高さが３５ｃｍ以上稼げるような高さに設定されており、ベッド用底板７の変更に伴う乳児の安全性が確保されている。なお、図７において受け部材４０のボルト部材４２は、便宜上、実物よりも大きく誇張して表している。
【００３０】
図９は扉付下部前桟枠５の扉を開放した状態でのベビーベッド１０の斜視図を示している。この図９において、扉付下部前桟枠５は、下端を支点に前方へ回動して開放する開閉可能な扉３０を備えている。扉付下部前桟枠５の上側の幅方向支柱１１の左右両位置には、その下面に凹設された挿通穴（図示せず）が設けられている。また、扉３０の上端部左右両位置には、図示しないスプリングの付勢力によって先端を上側の幅方向支柱１１の挿通穴側に突出させるロック具３１，３１が設けられている。各ロック具３１は、スプリングの付勢力に抗して引っ張って挿通穴から先端を引き抜くことによって前方へ自重により回動して開放が可能となる一方、各ロック具３１の先端をスプリングの付勢力によって挿通穴に挿通することによって閉塞状態に保持される。なお、図９において符号９は、右側の側桟枠２Ｒの上端に締結具５３によって取り付けられたサイドテーブルであって、締結具５３は、サイドテーブル９側から挿通されるボルト部材５４と、右側の側桟枠２Ｒの上側の幅方向支柱１１の左右両端を上下方向に貫通する貫通孔１１１の下方から挿通されるナット部材５５とを備えている。この締結具５３のボルト部材５４及びナット部材５５は、便宜上、実物よりも大きく誇張して表している。
【００３１】
図１０はベビーベッドを分解して形成されるミドルサークルの斜視図、図１１はミドルサークルの後桟枠３に対し左右の側桟枠２Ｌ，２Ｒを連結具により連結する状態を説明する説明図をそれぞれ示している。この図１０及び図１１に示すように、ベビーベッド構造体１は、左右の両側桟枠２Ｌ，２Ｒの前端にそれぞれ連設される左右一対の補助桟枠５１Ｌ，５１Ｒを備えている。そして、ベビーベッド構造体１は、ベビーベッド１０から上部前桟枠４、ベッド用底板７、各収納用底板８及び扉付下部前桟枠５をそれぞれ除去し、後桟枠３と、この後桟枠３の左右両端に対し直角にそれぞれ着脱自在に設けられた左右一対の補助桟枠５１Ｌ，５１Ｒと、この両補助桟枠５１Ｌ，５１Ｒの前端に着脱自在に連設された左右の側桟枠２Ｌ，２Ｒと、この両側桟枠２Ｌ，２Ｒの前端上部に着脱自在に横設された上部前桟枠４と、両側桟枠２Ｌ，２Ｒの前端下部に着脱自在に設けられた扉付下部前桟枠５とによって囲撓されるミドルサークル５２が形成可能である。
【００３２】
左右の補助桟枠５１Ｌ，５１Ｒの上下両端には、当該各補助桟枠５１Ｌ，５１Ｒの幅方向へ延びる上下の幅方向支柱１１，１２が設けられている。また、左右の補助桟枠５１Ｌ，５１Ｒの両幅方向支柱１１，１２の両端には、上下方向へ延びる前後の縦方向支柱１３，１４が連結されている。更に、左右の補助桟枠５１Ｌ，５１Ｒには、上下の幅方向支柱１１，１２同士の間を前後方向所定間隔置き（例えば５〜７ｃｍ置き）に上下方向に連結する柵棒体１５，１５，…が設けられている。
【００３３】
左右の側桟枠２Ｌ，２Ｒと補助桟枠５１Ｌ，５１Ｒとは、締結具５３によって連結されている。また、左右の側桟枠２Ｌ，２Ｒ及び補助桟枠５１Ｌ，５１Ｒの縦方向支柱１３，１４には、当該縦方向支柱１３，１４の上下両位置を幅方向へ貫通する貫通孔１３１，１４１が設けられている。そして、締結具５３は、前後の縦方向支柱１３，１４の貫通孔１３１，１４１のうちの一方から挿通されるボルト部材５４と、前後の縦方向支柱１３，１４の貫通孔１３１，１４１のうちの他方から挿通されるナット部材（図示せず）とを備えている。この場合、ボルト部材５４は、ミドルサークル５２の周方向で互いに相隣なる側桟枠２Ｌ，２Ｒ及び補助桟枠５１Ｌ，５１Ｒの縦方向支柱１３，１４を合わせた幅方向（周方向）の合算寸法よりも若干短い長さに設定され、ナット部材に螺着した際に互いに相隣なる側桟枠２Ｌ，２Ｒ及び補助桟枠５１Ｌ，５１Ｒの縦方向支柱１３，１４同士を強固に連結している。なお、図１１において締結具５３のボルト部材５４、並びに連結具２０のボルト部材２１及びナット部材２２は、便宜上、実物よりも大きく誇張して表している。
【００３４】
図１２はミドルサークル５２を分解して形成されるベンチの斜視図、図１３はミドルサークル５２を分解して形成されるラックの斜視図、図１４はベンチ又はラックの左右の補助桟枠５１Ｌ，５１Ｒに対し扉付下部前桟枠５を連結具により連結する状態を説明する説明図をそれぞれ示している。
【００３５】
図１２に示すように、ベビーベッド構造体１は、ベビーベッド１０を分解して、左右の両補助桟枠５１Ｌ，５１Ｒと、この両補助桟枠５１Ｌ，５１Ｒの後端（幅方向一端）に対し左右両端（幅方向両端）が直角にそれぞれ着脱自在に設けられた後桟枠３と、後述する枠体６１の内側中間部に着脱自在に設けられた両収納用底板８，８のうちの一方と、両補助桟枠５１Ｌ，５１Ｒの前端（幅方向他端）の下部に横設される扉付下部前桟枠５とによってベンチ６２が形成可能である。このベンチ６２の背もたれ部分に対応する後桟枠３の上部位置には、両収納用底板８，８の残る他方がボルト（図示せず）によって固定されている。
【００３６】
また、図１３に示すように、ベビーベッド構造体１は、ベンチ６２を形成した際に後桟枠３の上部位置に固定した両収納用底板８，８の残る他方を取り外し、ベンチ６２の枠体６１の内側上部に両収納用底板８，８の残る他方を着脱自在に設けてラック６３が形成可能である。
【００３７】
そして、図１４に示すように、両補助桟枠５１Ｌ，５１Ｒ及び後桟枠３によって形成された平面視で略コ字状の枠体６１の両補助桟枠５１Ｌ，５１Ｒの前端の下部に横設される扉付下部前桟枠５は、ベンチ６２又はラック６３を形成する際に、当該扉付下部前桟枠５の上下の幅方向支柱１１，１２の両端を左右の両補助桟枠５１Ｌ，５１Ｒの前側の縦方向支柱１３に対し連結具２０を介して連結されている。なお、図１４において連結具２０のボルト部材２１及びナット部材２２は、便宜上、実物よりも大きく誇張して表している。
【００３８】
図１５は図１の左右の側桟枠２Ｌ，２Ｒに代えて左右の補助桟枠５１Ｌ，５１Ｒを２枚ずつ用いて形成されるベビーベッド１０の斜視図を示している。この図１５において、ベビーベッド１０の左右の補助桟枠５１Ｌ，５１Ｒは、それぞれ２枚ずつ並べて互いに隣接する左右の縦方向支柱１４，１４同士が上下の締結具５３，５３を介して連結されている。２枚の両補助桟枠５１Ｌ，５１Ｒのうち、上部前桟枠４及び扉付下部前桟枠５の左右両端にそれぞれ連結される前側の両補助桟枠５１Ｌ，５１Ｒの前側の縦方向支柱１３，１３の裏面側には、上下方向に延びるスライド溝２７がそれぞれ凹設されている。
【００３９】
左右の両補助桟枠５１Ｌ，５１Ｒを２枚ずつ幅方向に並設した長さ、つまり後側の補助桟枠５１Ｌ，５１Ｒの後側の縦方向支柱１４と前側の補助桟枠５１Ｌ，５１Ｒの前側の縦方向支柱１３との間の長さは、両側桟枠２Ｌ，２Ｒの１つの幅方向の長さつまり当該両側桟枠２Ｌ，２Ｒの前後の縦方向支柱１３，１４間の長さと一致している。なお、図１５において締結具５３のボルト部材５４及びナット部材５５、並びに連結具２０のボルト部材２１及びナット部材２２は、便宜上、実物よりも大きく誇張して表している。
【００４０】
図１６は図１５のベビーベッド１０を分解して形成されるミドルサークル５２の斜視図、図１７は図１５のミドルサークル５２の後桟枠３及び左右の各補助桟枠５１Ｌ，５１Ｒを連結具２０及び締結具５３により連結する状態を説明する説明図をそれぞれ示している。この図１６及び図１７において、ミドルサークル５２の左右の補助桟枠５１Ｌ，５１Ｒは、それぞれ３枚ずつ並べて互いに隣接する左右の縦方向支柱１４，１４同士が上下の締結具５３，５３を介して連結されている。３枚の両補助桟枠５１Ｌ，５１Ｒのうち、上部前桟枠４及び扉付下部前桟枠５の左右両端にそれぞれ連結される前側の両補助桟枠５１Ｌ，５１Ｒの前側の縦方向支柱１３，１３の裏面側には、上下方向に延びるスライド溝２７がそれぞれ凹設されている。なお、図１６及び図１７において締結具５３のボルト部材５４及びナット部材５５、並びに連結具２０のボルト部材２１及びナット部材２２は、便宜上、実物よりも大きく誇張して表している。
【００４１】
したがって、本実施の形態では、通常はベビーベッド構造体１によりベビーベッド１０を形成し、ベッド用底板７に敷ふとん１９を敷いて乳児を寝かせる。また、乳児が大きくなりこのベビーベッド１０が不要になったときには、このベビーベッド１０を分解すると共に、左右の両側桟枠２Ｌ，２Ｒ，３〜５を組み換えて、両側桟枠２Ｌ，２Ｒ、後桟枠３、上部前桟枠４、扉付下部前桟枠５、及び左右の両補助桟枠５１Ｌ，５１Ｒによってミドルサークル５２を形成し、このミドルサークル５２内で幼児を遊ばせることが可能である。更に、このベビーベッド１０は左右の両側桟枠２Ｌ，２Ｒ，３〜５を組み換えて、後桟枠３、扉付下部前桟枠５、及び左右の両補助桟枠５１Ｌ，５１Ｒ、及び各収納用底板８，８によってベンチ６２やラック６３として使用することも可能であり、不要になったベビーベッド１０がミドルサークル５２やベンチ６２又はラック６３として再利用される。
【００４２】
その場合、左右の両側桟枠２Ｌ，２Ｒ及び両補助桟枠５１Ｌ，５１Ｒの幅方向支柱１１，１２の両端に縦方向支柱１３，１４が連結され、後桟枠３及び扉付下部前桟枠５の幅方向支柱１１，１２の両端が、ベビーベッド１０又はミドルサークル５２を形成する際に、両側桟枠２Ｌ，３Ｌ又は両補助桟枠５１Ｌ，５１Ｒの縦方向支柱１３，１４に対しそれぞれ連結具２０を介して連結されている上、ベンチ６２又はラック６３を形成する際に、両補助桟枠５１Ｌ，５１Ｒの縦方向支柱１３，１４に対しそれぞれ連結具２０を介して連結されているので、相隣なる各桟枠２Ｌ，２Ｒ，３〜５，５１Ｌ，５１Ｒ同士の角部での連結部位に縦方向支柱１３，１４が必ず２本並ぶことが無くなって組み立て品であるが故の無骨な印象が拭われ、桟枠２Ｌ，２Ｒ，３〜５，５１Ｌ，５１Ｒ同士を一体的に連結した成型品のような繊細な印象を与えることができる。しかも、幅方向で互いに相隣なる各桟枠２Ｌ，２Ｒ，３〜５，５１Ｌ，５１Ｒ同士の角部での連結部位に縦方向支柱１３，１４が必ず２本並ぶことが無くなって、後桟枠３及び扉付下部前桟枠５のコストを抑え、ベビーベッド構造体１の低廉化を図ることができる。更に、後桟枠３及び扉付下部前桟枠５をその上下の幅方向支柱１１，１２によって左右の両側桟枠２Ｌ，２Ｒ及び両補助桟枠５１Ｌ，５１Ｒのうちのいずれかの縦方向支柱１３，１４に対し連結具２０を介して捩れ難く連結でき、ベビーベッド１０、ミドルサークル５２、ベンチ６２及びラック６３をがたつき無く強固に組み立てることができる。
【００４３】
また、左右の両側桟枠２Ｌ，２Ｒ及び両補助桟枠５１Ｌ，５１Ｒの左右の縦方向支柱１３，１４を表裏方向に貫通する貫通孔２３から後桟枠３及び扉付下部前桟枠５の上下の幅方向支柱１１，１２の両端の穿設穴２４に挿通されたボルト部材２１の雄ねじ２１１が、その穿設穴２４に対し直交するように後桟枠３及び扉付下部前桟枠５の表裏方向一側から凹設された収容穴２５に挿通されたナット部材２２の側部のねじ穴２６に螺着されるので、後桟枠３及び扉付下部前桟枠５の幅方向支柱１１，１２の両端を両側桟枠２Ｌ，２Ｒ又は両補助桟枠５１Ｌ，５１Ｒの縦方向支柱１３，１４に対し見栄えよく連結することができる。
【００４４】
更に、上部前桟枠４が両側桟枠２Ｌ，２Ｒの前端上部に下方へスライド移動可能に支持され、扉付下部前桟枠５が、上部前桟枠４の裏面側に位置する両側桟枠２Ｌ，２Ｒの前端下部に取り付けられているので、上部前桟枠４を両側桟枠２Ｌ，２Ｒの前端上部において下方へスライド移動させてスムーズに開閉させることができる。
【００４５】
しかも、幅方向に複数並設した各補助桟枠５１Ｌ，５１Ｒの互いに隣接する左右の縦方向支柱１３，１４同士が締結具５３を介して連結されているので、左右の両補助桟枠５１Ｌ，５１Ｒを幅方向に２枚ずつ又は３枚ずつ並設してベビーベッド構造体１の左右両側部を構成することもでき、ベビーベッド構造体１の汎用性をさらに図ることができる。
【００４６】
また、両補助桟枠５１Ｌ，５１Ｒを幅方向に２枚並設した長さが両側桟枠２Ｌ，２Ｒの幅方向の長さと一致しているので、２枚の両補助桟枠５１Ｌ，５１Ｒを両側桟枠２Ｌ，２Ｒの代わりとして用いることもでき、ベビーベッド構造体１の汎用性をより一層図ることができる。
【００４７】
なお、本発明は、前記実施の形態に限定されるものではなく、その他種々の変形例を包含している。例えば、前記実施の形態では、左側の側桟枠２Ｌを、区画柱１６によって上下に区画し、下側の幅方向支柱１２と区画柱１６との間を上下方向に連結するパネル材１７を設けたが、右側の側桟枠と同様に、上下の幅方向支柱の間を幅方向所定間隔置きに上下方向に連結する柵棒体が設けられていてもよい。
【００４８】
また、前記実施の形態では、後桟枠３及び扉付下部前桟枠５の各貫通孔４１を、ベビーベッド１０の設置面から６０ｃｍの高さにベッド用底板７が位置付けられるように設けたが、各貫通孔はベビーベッドの設置面から６０ｃｍ以外の高さにベッド用底板が位置付けられるように設けられていてもよいのはいうまでもない。更に、各貫通孔を上下方向所定間隔置きに複数個ずつ設け、ベッド用底板の高さ位置が適宜変更されるようにしてもよい。
【００４９】
更に、前記実施の形態では、両補助桟枠５１Ｌ，５１Ｒを幅方向に２枚並設した長さを両側桟枠２Ｌ，２Ｒの幅方向の長さと一致させたが、両補助桟枠の幅方向の長さはこれに限らず、補助桟枠を幅方向に３枚以上並設した長さが側桟枠の幅方向の長さと一致していてもよい。
【符号の説明】
【００５０】
１          ベビーベッド構造体
２Ｌ，２Ｒ  側桟枠
３          後桟枠
４          上部前桟枠
５          扉付下部前桟枠
６          囲繞枠体
７          ベッド用底板
８          収納用底板
１０        ベビーベッド
１１，１２  幅方向支柱
１３，１４  縦方向支柱
２０        連結具
２１        ボルト部材
２１１      雄ねじ
２２        ナット部材
２３        貫通孔
２４        穿設穴
２５        収容穴
２６        ねじ穴
５１Ｌ，５１Ｒ
補助桟枠
５２        ミドルサークル
５３        締結具
６２        ベンチ
６３        ラック
【図１】
2016101496.tif 000003
【図２】
2016101496.tif 000004
【図３】
2016101496.tif 000005
【図４】
2016101496.tif 000006
【図５】
2016101496.tif 000007
【図６】
2016101496.tif 000008
【図７】
2016101496.tif 000009
【図８】
2016101496.tif 000010
【図９】
2016101496.tif 000011
【図１０】
2016101496.tif 000012
【図１１】
2016101496.tif 000013
【図１２】
2016101496.tif 000014
【図１３】
2016101496.tif 000015
【図１４】
2016101496.tif 000016
【図１５】
2016101496.tif 000017
【図１６】
2016101496.tif 000018
【図１７】
2016101496.tif 000019